(57)【要約】      （修正有）【課題】ケーブルトラフを載置する枠体及びトラフ支持体の高さ位置、及び傾斜位置を調整できるトラフ支持器具を提供する。【解決手段】枠体、水平枠材１５に平行に配置されて枠体に固定される回動支持軸体２、左側の垂直枠材１６Ａ、Ｂに固定されてトラフ敷設箇所に打込んだ支持杭に外嵌される杭嵌込み筒体３と、杭嵌込み筒体を支持杭に固定する筒体固定具４３、４４、５１、５２と、回動支持軸体に回動自在に配置されてケーブルトラフを載置するトラフ支持体６３、６４と、トラフ支持体を回動支持軸体に固定する支持体固定具７０、７９、８０と、ケーブルトラフをトラフ支持体に固定するトラフ固定具８３〜８６と、水平枠材と直交方向に移動自在に水平枠材を貫通するネジ脚１０１と、ネジ脚の調整ネジ軸１０５に螺着されて、ネジ脚を水平枠材に固定する上側及び下側ナット１０２、１０４を備える。【選択図】図７
0003230061.tif 000002
【実用新案登録請求の範囲】
【請求項１】
水平枠材、前記水平枠材に直交する左側の垂直枠材、左側の前記垂直枠材に間隔を隔てて平行し、及び前記水平枠材に直交する右側の垂直枠材を有する枠体と、
前記水平枠材に間隔を隔てて配置され、軸中心線を前記水平枠材に平行に配置して、各軸端を前記各垂直枠材に固定する回動支持軸体と、
杭嵌込み穴を有し、穴中心線を前記水平枠材と直交方向に向けて一方の前記垂直枠材に固定され、トラフ敷設箇所に打込まれた支持杭に外嵌され、前記支持杭の杭中心線の方向に移動自在に、当該支持杭を前記杭嵌込み穴に挿通する杭嵌込み筒体と、
前記杭嵌込み筒体を前記支持杭に固定する筒体固定具と、
前記回動支持軸体の軸中心線を中心に回動自在として前記回動支持軸体に配置され、ケーブルトラフを載置するトラフ支持体と、
前記トラフ支持体を前記回動支持軸体に固定する支持体固定具と、
前記トラフ支持体に配置され、前記ケーブルトラフを前記トラフ支持体に固定するトラフ固定具と、
調整ネジ軸、及び前記調整ネジ軸の軸中心線に直交して、前記調整ネジ軸の一方の軸端に固定される座板を有し、他方の前記垂直枠材側の前記水平枠材に配置されるネジ脚と、
上側の固定ナットと、
下側の固定ナットと、を備え、
前記調整ネジ軸は、
軸中心線を前記水平枠材と直交方向に向けて配置され、
前記水平枠材と直交方向に移動自在に、前記水平枠材を貫通し、及び他方の軸端を前記水平枠材及び前記回動支持軸体の間に突出して配置され、
上側の前記固定ナットは、
前記調整ネジ軸の他方の軸端、及び前記水平枠材の間の前記調整ネジ軸に螺着され、及び前記水平枠材に当接自在にされ、
下側の前記固定ナットは、
前記座板、及び前記水平枠材の間の前記調整ネジ軸に螺着され、及び前記水平枠材に当接自在にされる
ことを特徴とするトラフ支持器具。
【請求項２】
前記トラフ支持体は、
前記各垂直枠材に間隔を隔てて、前記各垂直枠材の間に配置され、
前記回動支持軸体の軸中心線を中心に回動自在、及び前記回動支持軸体の軸中心線の方向に移動自在として、前記回動支持軸体に配置される
ことを特徴とする請求項１に記載のトラフ支持器具。
【考案の詳細な説明】
【技術分野】
【０００１】
本考案は、ケーブルトラフを敷設するために使用するトラフ支持器具に関する。
【背景技術】
【０００２】
ケーブルトラフを敷設する技術として、特許文献１は、トラフ支持構造を開示する。トラフ支持構造は、複数のトラフ支持杭、及びトラフ支持台を備える。各トラフ支持杭は、外周に羽根を有するスクリュー状に形成される。トラフ支持構造において、各トラフ支持杭は、相互に間隔を隔てて配置されて、回転されて地中に差込まれる。トラフ支持台は、各トラフ支持杭に架設される。トラフ支持構造は、ケーブルトラフをトラフ支持台上に配置して敷設する。
【先行技術文献】
【特許文献】
【０００３】
【特許文献１】特開２００１−９５１３７号公報
【考案の概要】
【考案が解決しようとする課題】
【０００４】
特許文献１のトラフ支持構造は、トラフ支持台の高さ位置、及びトラフ支持台の傾斜を調整する機構がなく、傾斜等するトラフ敷設箇所に応じてケーブルトラフを敷設するのに時間を要する。
【０００５】
本考案は、ケーブルトラフを載置するトラフ支持体及び枠体の高さ位置を調整でき、及びトラフ支持体の傾斜位置を調整できるトラフ支持器具を提供することにある。
【課題を解決するための手段】
【０００６】
本考案に係る請求項１は、水平枠材、前記水平枠材に直交する左側の垂直枠材、左側の前記垂直枠材に間隔を隔てて平行し、及び前記水平枠材に直交する右側の垂直枠材を有する枠体と、前記水平枠材に間隔を隔てて配置され、軸中心線を前記水平枠材に平行に配置して、各軸端を前記各垂直枠材に固定する回動支持軸体と、杭嵌込み穴を有し、穴中心線を前記水平枠材と直交方向に向けて一方の前記垂直枠材に固定され、トラフ敷設箇所に打込まれた支持杭に外嵌され、前記支持杭の杭中心線の方向に移動自在に、当該支持杭を前記杭嵌込み穴に挿通する杭嵌込み筒体と、前記杭嵌込み筒体を前記支持杭に固定する筒体固定具と、前記回動支持軸体の軸中心線を中心に回動自在として前記回動支持軸体に配置され、ケーブルトラフを載置するトラフ支持体と、前記トラフ支持体を前記回動支持軸体に固定する軸体固定具と、前記トラフ支持体に配置され、前記ケーブルトラフを前記トラフ支持体に固定するトラフ固定具と、調整ネジ軸、及び前記調整ネジ軸の軸中心線に直交して、前記調整ネジ軸の一方の軸端に固定される座板を有し、他方の前記垂直枠材側の前記水平枠材に配置されるネジ脚と、上側の固定ナットと、下側の固定ナットと、を備え、前記調整ネジ軸は、軸中心線を前記水平枠材と直交方向に向けて配置され、前記水平枠材と直交方向に移動自在に、前記水平枠材を貫通し、及び他方の軸端を前記水平枠材及び前記回動支持軸体の間に突出して配置され、上側の前記固定ナットは、前記調整ネジ軸の他方の軸端、及び前記水平枠材の間の前記調整ネジ軸に螺着され、及び前記水平枠材に当接自在にされ、下側の前記固定ナットは、前記座板、及び前記水平枠材の間の前記調整ネジ軸に螺着され、及び前記水平枠材に当接自在にされることを特徴とするトラフ支持器具である。
【０００７】
本考案に係る請求項１によれば、杭嵌込み筒体は、トラフ敷設箇所に打込んだ支持杭に移動自在に外嵌され、ネジ脚は、各固定ナットの一方又は両方を回動して、水平枠材から離間することで、水平枠材と直交方向（杭中心線の方向）に移動自在にされる。杭嵌込み筒体及びネジ脚を移動自在にすると、枠体は、支持杭及びネジ脚に対して移動自在となる。ネジ脚の座板をトラフ敷設箇所に当接して、枠体を支持杭、及びネジ脚に対して移動することで、枠体及びトラフ支持体の高さ位置（支持杭の杭中心線の方向の位置）を調整する。
これにより、ケーブルトラフを載置するトラフ支持体及び枠体は、任意の高さ位置（支持杭の杭中心線の方向の任意の位置）に調整できる。
本考案に係る請求項１において、枠体の高さ位置を調整すると、各固定ナットを回動して水平枠材に当接して、各固定ナットよって水平枠材を挟持することで、ネジ脚は、枠体に固定される。杭嵌込み筒体は、筒体固定具によって支持杭に固定される。
本考案の請求項１によれば、トラフ支持体を回動支持軸体に対して回動することで、トラフ支持体の傾斜位置を調整することができる。トラフ支持体の傾斜位置を調整すると、支持体固定具によってトラフ支持体を回動支持軸体に固定する。
本考案に係る請求項１において、枠体を支持杭、及びネジ脚に固定し、トラフ支持体を回動支持軸体に固定すると、ケーブルトラフをトラフ支持体に載置して、トラフ固定具によってトラフ支持体に固定する。
ケーブルトラフ内には、電線、光ファイバー等のケーブルが収納される。
【０００８】
本考案に係る請求項２は、前記トラフ支持体は、前記各垂直枠材に間隔を隔てて、前記各垂直枠材の間に配置され、前記回動支持軸体の軸中心線を中心に回動自在、及び前記回動支持軸体の軸中心線の方向に移動自在として、前記回動支持軸体に配置されることを特徴とする請求項１に記載のトラフ支持器具である。
【０００９】
本考案に係る請求項２によれば、トラフ支持体を回動支持軸に沿って移動することで、各垂直枠材の間において、トラフ支持体の回動支持軸体の軸中線の方向の位置を調整できる。
【考案の効果】
【００１０】
本考案は、トラフ支持体及び枠体の高さ位置を調整でき、トラフ支持体の傾斜位置を調整でき、及びトラフ支持体の回動支持軸体の軸中心線の方向の位置を調整できるので、傾斜等するトラフ敷設箇所の地形に応じて、ケーブルトラフを短時間で容易に敷設することが可能となる。
【図面の簡単な説明】
【００１１】
【図１】トラフ支持器具を示す正面図である。
【図２】トラフ支持器具を示す背面図（裏面図）である。
【図３】トラフ支持器具を示す左側面図である。
【図４】トラフ支持器具を示す右側面図である。
【図５】トラフ支持器具を示す平面図（上面図）である。
【図６】トラフ支持器具を示す底面図（下面図）である。
【図７】トラフ支持器具を示す背面斜視図（裏面斜視図）である。
【図８】図１のＡ−Ａ断面図である。
【図９】図１のＢ−Ｂ断面拡大図である。
【図１０】図５のＥ−Ｅ断面図である。
【図１１】図５のＦ−Ｆ断面拡大図である。
【図１２】図５のＧ−Ｇ断面拡大図である。
【図１３】図２の一部拡大図であって、杭嵌込み筒体及び各杭案内筒体を示す図である。
【図１４】（ａ）は、図２のＣ部分拡大図、（ｂ）は、図２のＤ部分拡大図である。
【図１５】図５のＨ部分拡大図である。
【図１６】図５のＩ部分拡大図である。
【図１７】図８のＪ部分拡大図である。
【図１８】鉄道線路の側方（トラフ敷設箇所）に打込んだ支持杭に、トラフ支持器具を設置した側面図である。
【図１９】図１８のＫ部分拡大図である。
【図２０】図１８のＬ−Ｌ矢視図である。
【図２１】図２０のＭ部分拡大図である。
【図２２】図２０のＮ部分拡大図である。
【図２３】鉄道路線の側方（トラフ敷設箇所）であって、ケーブルトラフ、トラフ支持器具及び支持杭を示す正面図である。
【図２４】図２３のケーブルトラフ、トラフ支持器具を示す一部拡大図である。
【図２５】（ａ）は、図２４のＯ部分拡大図、（ｂ）は、図２４のＰ部分拡大図である。
【図２６】鉄道線路の側方（トラフ敷設箇所）であって、ケーブルトラフ、支持杭及びトラフ支持器具を
【考案を実施するための形態】
【００１２】
本発明に係るトラフ支持器具について、図１乃至図２６を参照して説明する。
【００１３】
トラフ支持器具Ｘは、図１乃至図１７に示すように、枠体１、回動支持軸体２、軸体固定具３０、杭嵌込み筒体３、上側の杭案内筒体４、下側の杭案内筒体５、筒体固定具６、トラフ支持体７、支持体固定具８、トラフ固定具９、及び位置調整具１０を備える。
【００１４】
枠体１（支持枠体／基礎体）は、図１乃至図９、図１１及び図１２に示すように、下側の水平枠材１５（下水平枠材／下枠材）、左側の垂直枠材１６（左垂直枠材／左枠材）、及び右側の垂直枠材１７（右垂直枠材／右枠材）を有する。
【００１５】
水平枠材１５、及び各垂直枠材１６，１７は、図１乃至図９、図１１及び図１２に示すように、例えば、金属（鉄、ステンレス等）のＬ字曲げ板で形成される。
水平枠材１５は、図２及び図６に示すように、長さ：Ｌ１、及び板幅：Ｈを有し、各垂直枠材１６，１７は、図２乃至図４に示すように、長さ：Ｌ２（但し、Ｌ２＜Ｌ１）、及び板幅：Ｈを有する。
【００１６】
左側の垂直枠材１６は、図１及び図２に示すように、水平枠材１５の一方の板端１５ａ（板長手端）に当接して配置される。左側の垂直枠材１６は、水平枠材１５に直交（交差）して配置されて、水平枠材１５に連結（固定）される。
左側の垂直枠材１６は、Ｌ字曲げ板の一方の垂直板１６Ａを水平枠材１５の一方の板端１５ａに当接し、及びＬ字曲げ板の他方の垂直板１６Ｂを水平枠材１５の板端１５ａより外側（板端１５ａより左側）に配置して、水平枠材１５に連結（固定）される。
【００１７】
右側の垂直枠材１７は、図１及び図２に示すように、左側の垂直枠材１６に間隔を隔てて平行に配置される。右側の垂直枠材１７は、水平枠材１５の他方の板端１５ｂ（板長手端）に当接して配置される、右側の垂直枠材１７は、水平枠材１５に直交（交差）して配置されて、水平枠材１５に連結（固定）される。
右側の垂直枠材１７は、Ｌ字曲げ板の一方の垂直板１７Ａを水平枠材１５の他方の板端１５ｂに当接し、及びＬ字曲げ板の他方の垂直板１７Ｂを水平枠材１５の板端１５ｂより外側（板端１５ｂより右側）に配置して、水平枠材１５に連結（固定）される。
【００１８】
各垂直枠材１６，１７は、図１、図３乃至図８及び図１０に示すように、各軸固定材１８，１９（左側の軸固定材１８、右側の軸固定材１９）を有する。
各軸固定材１８，１９は、例えば、金属（鉄、ステンレス等）のＬ字曲げ板で形成される。
【００１９】
左側の軸固定材１８は、図１、図３及び図７に示すように、水平枠材１５と直交方向ＵＤ（以下、「上下方向ＵＤ」という）において、水平枠材１５から離間する垂直枠材１６の板端側（板上端側）に配置されて、左側の垂直枠材１６に固定される。軸固定材１８は、図１、図３、及び図５乃至図８に示すように、各垂直枠材１６，１７と直交方向ＬＲ（以下、「左右方向ＬＲ」という）において、Ｌ字曲げ板の一方の固定板１８Ａを右側の垂直枠材１７側に向け、及びＬ字曲げ板の他方の固定板１８Ｂを垂直枠材１６の他方の垂直板１６Ｂに当接して、左側の垂直枠材１６に固定される。軸固定材１８は、水平枠材１５及び各垂直枠材１６，１７と直交方向ＦＲ（以下、「前後方向ＦＲ」という）において、左側の垂直枠材１６の後側に並列して配置される。
【００２０】
右側の軸固定材１９は、図１、図４及び図７に示すように、上下方向ＵＤにおいて、水平枠材１５から離間する垂直枠材１７の板端１７ａ側（板上端側）に配置されて、右側の垂直枠材１７に固定される。軸固定材１９は、図１、図４、及び図５乃至図８に示すように、左右方向ＬＲにおいて、Ｌ字曲げ板の一方の固定板１９Ａを左側の垂直枠材１６に向け（軸固定材１８の固定板１８Ａに対向し）、及びＬ字曲げ板の他方の固定板１９Ｂを垂直枠材１７の他方の垂直板１７Ｂに当接して、右側の垂直枠材１７に固定される、軸固定材１８は、前後方向ＦＲにおいて、右側の垂直枠材１７の後側に並列して配置される。
【００２１】
枠体１において、水平枠材１５は、図１、図９及び図１１に示すように、脚ガイド穴２０を有する。脚ガイド穴２０は、左右方向ＬＲにおいて、右側の垂直枠材１７（他方の垂直枠材）に間隔を隔てて、垂直枠材１７に隣接して配置される。脚ガイド穴２０は、前後方向ＦＲにおいて、水平板１５Ａの板幅：Ｈの中心に配置される。
脚ガイド穴２０は、上下方向ＵＤにおいて、水平枠材１５の水平板１５Ａを貫通して形成される。
【００２２】
回動支持軸体２は、図１乃至図１２に示すように、例えば、金属（鉄、ステンレス等）で円筒状の支持軸体（支持円筒体）に形成され、水平枠材１５の板長：Ｌ１と同一の軸長を有する。回動支持軸体２は、図９乃至図１２に示すように、左側及び右側の軸支持板２５，２６を有する。各軸支持板２５，２６は、金属（鉄、ステンレス等）で形成される。
各軸支持板２５，２６は、図９乃至図１２に示すように、回動支持軸体２内に挿入（収納）されて、回動支持軸体２の軸中心線ａの方向において、回動支持軸体２の各軸端２Ａ，２Ｂ側（各筒軸端側）に配置される。各軸支持板２５，２６は、回動支持軸体２内において、回動支持軸体２に固定される。
【００２３】
回動支持軸体２は、図１、図２及び図５乃至図１２に示すように、軸中心線ａを左右方向ＬＲに向け、及び軸中心線ａを水平枠材１５（水平板１５Ａ）に平行に配置される。回動支持軸体２は、水平枠材１５と軸間隔Ｗ１（但し、Ｗ１＜Ｌ１）を隔てて平行に配置される。回動支持軸体２は、各垂直枠材１６，１７（各軸固定材１８，１９）の間に配置される。回動支持軸体２は、各軸端２Ａ，２Ｂを各軸固定材１８，１９の一方の固定板１８Ａ，１９Ａに当接して配置される。
【００２４】
軸体固定具３０は、図１、図３乃至図６、及び図８乃至図１２に示すように、回動支持軸体２を各垂直枠材１６，１７（各軸固定材１８，１９）に固定する。軸体固定具３０は、複数（一対）の軸固定ボルト３１，３２を有する。各軸固定ボルト３１，３２は、例えば、金属（鉄、ステンレス等）で形成されて、ネジ軸３３及び頭部３４を有する。
各軸固定ボルト３１，３２（軸体固定具３０）は、図９乃至図１２に示すように、ネジ軸３３を各軸固定材１８，１９（各垂直枠材１６，１７）の一方の固定板１８Ａ，１９Ａに挿通（貫通）して、各軸端２Ａ，２Ｂから回動支持軸体２内に挿入して配置される。各軸固定ボルト３１，３２は、頭部３４を各軸固定材１８，１９の固定板１８Ａ，１９Ａに当接して配置される。
各軸固定ボルト３１，３２において、ネジ軸３３は、回動支持軸体２の軸中心線ａと同心に配置されて、各軸端２Ａ，２Ｂから回動支持軸体２内に挿入される。各軸固定ボルト３１，３２のネジ軸３３は、各軸端２Ａ，２Ｂ側の回動支持軸体２内において、回動によって各軸支持板２５，２６に螺着されて、回動支持軸体２の各軸端２Ａ，２Ｂ側を各垂直枠材１６，１７（各軸固定材１８，１９）に固定する。
これにより、回動支持軸体２は、各軸端２Ａ，２Ｂを各垂直枠材１６，１７（各軸固定材１８，１９）に固定して、各垂直枠材１６，１７に支持される。
【００２５】
杭嵌込み筒体３は、図１乃至図８、及び図１２に示すように、例えば、金属（鉄、ステンレス等）の円筒体（円筒状）に形成される。杭嵌込み筒体３は、直径：Ｄの円形の杭嵌込み穴４１（杭嵌込み円穴）、スリット穴４２、及び複数（一対）の突出片４３，４４を有する。
【００２６】
杭嵌込み穴４１は、図１、図３、図８及び図１３に示すように、杭嵌込み筒体３の両筒端に開口する。
【００２７】
スリット穴４２は、図８及び図１３に示すように、杭嵌込み筒体３の円周方向にスリット幅ＨＳを有して、杭嵌込み穴４１の穴中心線ｃの方向に延在される。スリット穴４２は、杭嵌込み筒体３の両筒端に開口する。スリット穴４２は、杭嵌込み穴４１の穴中心線ｃと直交方向に杭嵌込み筒体３を貫通して、杭嵌込み筒体３の外周面３Ａ及び杭嵌込み穴４１（内周面）に開口する。
【００２８】
各突出片４３，４４は、図３、図４、図７、図８及び図１３に示すように、杭嵌込み筒体３の外周面３Ａに固定される。各突出片４３，４４は、杭嵌込み筒体３の円周方向に並列されて、杭嵌込み筒体３の外周面３Ａから径外方向に突出される。各突出片４３，４４は、相互の間にスリット穴４２を位置して、スリット穴４２に連続して配置される。
【００２９】
突出片４３は、図５、図６及び図１３に示すように、複数（一対）のネジ通し穴４６を有し、各ネジ通し穴４６は、上下方向ＵＤ（杭嵌込み穴４１の穴中心線ｃの方向）に並列されて、左右方向ＬＲ（杭嵌込み穴４１の穴中心線ｃと直交方向）において、突出片４３を貫通して形成される。
【００３０】
突出片４４は、図４乃至図６、及び図１３に示すように、複数（一対）のネジ穴４７を有し、各ネジ穴４７は、各ネジ通し穴４６に対向（対峙）して、突出片４４に配置される。各ネジ穴４７は、上下方向ＵＤ（杭嵌込み穴４１の穴中心線ｃの方向）に並列されて、左右方向ＬＲ（杭嵌込み穴４１の穴中心線ｃと直交方向）において、突出片４４を貫通して形成される。
【００３１】
杭嵌込み筒体３は、図２、図３、図７、図８及び図１３に示すように、例えば、枠体１の外側に配置されて、左側の垂直枠材１６（一方の垂直枠材）に固定される。杭嵌込み筒体３は、杭嵌込み穴４１の穴中心線ｃ（筒中心線）を、上下方向ＵＤ（水平枠材１５又は回動支持軸体２の軸中心線ａと直交方向）に向けて左側の垂直枠材１６（一方の垂直板１６Ａ及び他方の垂直板１６Ｂ）に固定される。
【００３２】
上側の杭案内筒体４は、図１乃至図３、図５、図７及び図１３に示すように、例えば、金属（鉄、ステンレス等）の円筒体（円筒状）に形成される。杭案内筒体４は、杭嵌込み筒体３と同一直径の案内穴４８（案内円穴）を有する。案内穴４８は、上側の杭案内筒体４の両筒端に開口する。
上側の杭案内筒体４は、図２、図３、図７及び図１３に示すように、枠体１の外側に配置されて、杭嵌込み筒体３に並列される、上側の杭案内筒体４は、左側の垂直枠材１６（各垂直板１６Ａ，１６Ｂ）に固定される。上側の杭案内筒体４は、上下方向ＵＤにおいて、回動支持軸体２及び杭嵌込み筒体３の間（杭嵌込み筒体３より回動支持軸体２側）に配置される。上側の杭案内筒体４は、案内穴４８の穴中心線を、上下方向ＵＤに向けて、杭嵌込み筒体３（杭嵌込み穴４１）と同心に配置される。
【００３３】
下側の杭案内筒体５は、図１乃至図３、図６、図７及び図１３に示すように、例えば、金属（鉄、ステンレス等）の円筒体（円筒状）に形成される。杭案内筒体５は、杭嵌込み筒体３と同一直径の案内穴４９（案内円穴）を有する。案内穴４９は、下側の杭案内筒体５の両端側に開口する。
下側の杭案内筒体５は、図２、図３、図７及び図１３に示すように、枠体１の外側に配置されて、杭嵌込み筒体３に並列される。下側の杭案内筒体５は、左側の垂直枠材１６（各垂直板１６Ａ，１６Ｂ）に固定される。下側の杭案内筒体５は、上下方向ＵＤにおいて、水平枠材１５及び杭嵌込み筒体３の間（杭嵌込み筒体３より水平枠材１５側）に配置される。下側の杭案内筒体５は、案内穴４９の穴中心線を、上下方向ＵＤに向けて、杭嵌込み筒体３（杭嵌込み穴４１）と同心に配置される。
【００３４】
筒体固定具６は、図１、図３乃至図８及び図１３に示すように、例えば、金属（鉄、ステンレス等）のボルト５１，５２（筒体固定ボルト）を備える。各ボルト５１，５２は、ネジ軸５３及び頭部５４を有する。
各ボルト５１，５２は、図４乃至図６、図８及び図１３に示すように、ネジ軸５３を突出片４３の各ネジ通し穴４６に挿通（貫通）して、更に、ネジ軸５３を突出片４４の各ネジ穴４７に螺着（螺入）して、杭嵌込み筒体３（各突出片４３，４４）に取付けられる。各ボルト５１，５２は、頭部５４を突出片４３に当接して配置される。
【００３５】
トラフ支持体７は、ケーブルトラフＹを載置する（図２３乃至図２６参照）。トラフ支持体７は、図１乃至図９、図１１及び図１２に示すように、複数（一対）のトラフ支持材６１，６２、複数（一対）のトラフ載置板６３，６４、回動筒体６５（回動筒材）及び複数（４つ）のガイド穴７５〜７８を備える。
【００３６】
各トラフ支持材６１，６２は、例えば、金属（鉄、ステンレス等）のＬ字曲げ板で形成される。各トラフ支持材６１，６２は、図５に示すように、板長：ＬＸを有する。各トラフ支持材６１，６２の板長：ＬＸは、回動支持軸体２の軸長：Ｌ１（水平枠材１５の板長：Ｌ１）より短く形成される（ＬＸ＜Ｌ１）。
各トラフ支持材６１，６２（トラフ支持部材）は、図１乃至９、図１１及び図１２に示すように、一方の各支持板６１Ａ，６２Ａを面一にして、及び他方の各支持板６１Ｂ，６２Ｂを対向（対峙）して並設される。各支持材６１，６２は、板長さ方向ＲＬ（左右方向ＬＲ）と直交方ＦＲ（前後方向ＦＲ）において、向他方の各支持板６１Ｂ，６２Ｂの間に板間隔を隔てて平行に配置される。
【００３７】
各トラフ載置板６３，６４は、例えば、金属（鉄、ステンレス等）の平板で形成される。各トラフ載置板６３，６４は、図１乃至図９、図１１及び図１２に示すように、トラフ支持材６１，６２上に配置される。各トラフ載置板６３，６４は、各トラフ支持材６１，６２の板長さ方向（左右方向ＬＲ）に間隔を隔てて配置される。トラフ載置板６３は、各トラフ支持材６１，６２の板長さ方向において、各トラフ支持材６１，６２一方の各板長さ端６１ａ，６２ａ側に配置される。トラフ載置板６４は、各トラフ支持材６１，６２の左右方向ＬＲにおいて、各トラフ支持材６１，６２の他方の各板長さ端６１ｂ，６２ｂ側に配置される。各トラフ載置板６３，６４は、板裏平面を一方の各支持板６１Ａ，６２Ａに当接して、各トラフ支持材６１，６２上（各支持板６１Ａ，６２Ａ上）に固定される。各トラフ載置板６３，６４は、各トラフ支持材６１，６２の前後方向ＦＲにおいて、各トラフ支持材６１，６２（各支持板６１Ｂ，６２Ｂ）から突出して配置される。
【００３８】
回動筒体６５は、例えば、金属（鉄、ステンレス等）の円筒体（円筒状）に形成される。回動筒体６５は、図１乃至図９、図１１、図１２及び図１７に示すように、回動支持軸体２の直径（外径）より僅かに大径の軸体嵌込み穴６７（円形穴）、締付けスリット穴６８、及び複数（一対）の締付け突出片６９，７０を有する。
【００３９】
軸体嵌込み穴６７は、図１７に示すように、回動筒体６５の両筒端に開口する。
【００４０】
締付けスリット穴６８は、図９、図１１、図１２及び図１７に示すように、回動筒体６５の円周方向にスリット幅ＨＴを有して、軸体嵌込み穴６７の穴中心線ｇの方向に延在される。締付けスリット穴６８は、回動筒体６５の両筒端に開口する。締付けスリット穴６８は、軸体嵌込み穴６７の穴中心線ｇと直交方向に回動筒体６５を貫通して、回動筒体６５の外周面６５Ａ及び軸体嵌込み穴６７（内周面）に開口する。
【００４１】
各締付け突出片６９，７０は、図１乃至図９、図１２及び図１７に示すように、回動筒体６５の外周面６５Ａに固定される。各締付け突出片６９，７０は、回動筒体６５の円周方向に並列されて、回動筒体６５の外周面６５Ａから径外方向に突出される。各締付け突出片６９，７０は、相互の間に締付けスリット穴６８を位置して、締付けスリット穴６８に連続して配置される。
【００４２】
締付け突出片６９は、図１７に示すように、複数（一対）のネジ通し穴７１を有し、各字ネジ通し穴７１は、軸体嵌込み穴６７の穴中心線ｇの方向に並列されて、穴中心線と直交方向において、締付け突出片６９を貫通して形成される。
【００４３】
締付け突出片７０は、図１７に示すように、複数（一対）のネジ穴７２を有し、各ネジ穴７２は、各ネジ通し穴７１に対向（対峙）して、締付け突出片７０に配置される。各ネジ穴７２は、軸体嵌込み穴６７の穴中心線ｇの方向に並列されて、穴中心線ｇと直交方向において、締付け突出片７０を貫通して形成される。
【００４４】
回動筒体６５は、図１、図２、図５、図１１、図１２及び図１７に示すように、軸体嵌込み穴６７の穴中心線ｇを各トラフ支持材６１，６２の左右方向ＬＲに向けて、各トラフ載置板６３，６４の間に配置される。回動筒体６５は、図５、図８、図９、図１１、図１２及び図１７に示すように、各トラフ支持材６１，６２の支持板６１Ｂ，６２Ｂの間に配置される。回動筒体６５は、各締付け突出片６９，７０を各トラフ支持材６１，６２の左右方向ＬＲ及び前後方向ＦＲと直交方向ＵＤ（上下方向ＵＤ）に向けて配置され、外周面６５Ａを各支持板６１Ｂ，６２Ｂに当接して配置される。回動筒体６５は、各トラフ支持材６１，６２（支持板６１Ｂ，６２Ｂ）に固定される。
【００４５】
各ガイド穴７５〜７８は、図８、図１１及び図１２に示すように、各トラフ支持材６１，６２の前後方向ＦＲにおいて、各支持板６１Ｂ，６２Ｂから突出する各トラフ載置板６３，６４に配置される。
各ガイド穴７５，７７は、図５に示すように、各トラフ支持材６１，６２の左右方向ＬＲに間隔を隔てて対向（対峙）して、各トラフ載置板６３，６４に形成される。各ガイド穴７６，７８は、図５に示すように、各トラフ支持材６１，６２の左右方向ＬＲに間隔を隔てて対向（対峙）して、各トラフ載置板６３，６４に形成される。
【００４６】
各ガイド穴７５，７６は、図５及び図１１に示すように、トラフ載置板６３に形成される。各ガイド穴７５，７６は、各トラフ支持材６１，６２の前後方向ＦＲに間隔を隔ててトラフ載置板６３に配置される。各ガイド穴７５，７６は、各トラフ支持材６１，６２の上下方向ＵＤにおいて、トラフ載置板６３を貫通して形成される。
【００４７】
各ガイド穴７７，７８は、図５及び図１２に示すように、トラフ載置板６４に形成される。各ガイド穴７７，７８は、各トラフ支持材６１，６２の前後方向ＦＲに間隔を隔ててトラフ載置板６４に配置される。各ガイド穴７７，７８は、各トラフ支持材６１，６２の上下方向ＵＤにおいて、トラフ載置板６４を貫通して形成される。
【００４８】
トラフ支持体７は、図１、図２、図５乃至図５、図１１及び図１２に示すように、各垂直枠材１６，１７に移動間隔ε（間隔）を隔てて、各垂直枠材１６，１７の間に配置される。トラフ支持体７は、軸体嵌込み穴６７の穴中心線ｇを回動支持軸体２の軸中心線ａの方向（左右方向ＬＲ）に向けて配置される。トラフ支持体７は、回動筒体６５を回動支持軸体２に外嵌して、回動支持軸体２の軸中心線ａを中心として、回動支持軸体２に回動自在に配置（支持）される。
これにより、トラフ支持体７は、各垂直枠材１６，１７（各軸固定材１８，１９）の間において、回動支持軸体２の軸中心線ａの方向（左右方向ＬＲ）に移動自在として、回動支持軸体２に配置される。
【００４９】
支持体固定具８は、図１乃至図４、図６乃至図９、図１１、図１２及び図１７に示すように、トラフ支持体７を回動支持軸体２に固定する。支持体固定具８は、例えは、金属（鉄、ステンレス等）のボルト７９，８０（支持体固定ボルト）を備える。各ボルト７９，８０は、ネジ軸８１及び頭部８２を有する。
各ボルト７９，８０は、図１７に示すように、ネジ軸８１を締付け突出片６９の各ネジ通し穴７１に挿通（貫通）し、更に、ネジ軸８１を締付け突出片７０の各ネジ穴７２に螺着（螺入）して、回動筒体６５（各締付け突出片６９，７０）に取付けられる。各ボルト７９，８０は、頭部８２を締付け突出片６９に当接して配置される。
【００５０】
トラフ固定具９は、図１乃至図１２、及び図１４乃至図１６に示すように、トラフ支持体７（各トラフ載置板６３，６４）に配置されて、ケーブルトラフＹをトラフ支持体７（各トラフ載置板６３，６４）に固定する。
トラフ固定具９は、図１乃至図１２に示すように、複数（４つ）のトラフ固定体８３〜８６を備える。
【００５１】
各トラフ固定体８３〜８６は、図１４乃至図１６に示すように、トラフ固定本体８７、トラフ固定ボルト８８及びトラフ固定ナット８９を有して構成される。
【００５２】
トラフ固定本体８７は、図１４乃至図１６に示すように、複数（一対）のトラフ固定板９０，９１及びボルト通し穴９７を有して構成される。
【００５３】
トラフ固定板９０は、図１４乃至図１６に示すように、例えば、金属（鉄、ステンレス等）のＬ字曲げ板で形成されて、固定水平板９２及び固定垂直板９３を有する。
トラフ固定板９１は、図１４乃至図１６に示すように、例えば、金属（鉄、ステンレス等）のＬ字曲げ板で形成されて、固定水平板９４及び固定垂直板９５を有する。
【００５４】
トラフ固定板９０は、図１４乃至図１６に示すように、固定水平板９２をトラフ固定板９１の固定水平板９４に平行に配置して、固定水平板９２をトラフ固定板９１の固定垂直板９５に当接して配置される。
トラフ固定板９１は、図１４乃至図１６に示すように、固定水平板９４をトラフ固定板９０の固定水平板９２に平行に配置して、固定水平板９４をトラフ固定板９０の固定垂直板９３に当接して配置される。
【００５５】
各トラフ固定板９０，９１は、図１４乃至図１６に示すように、各固定水平板９２，９４を各固定垂直板９３，９５の板端９３ａ，９５ａに間隔δを隔てて各固定垂直板９３，９５に固定される。
これにより、各トラフ固定体８３〜８６（トラフ固定本体８７）は、図１４乃至図１６に示すように、トラフ固定板９１の固定垂直板９５（固定垂直板９５の外側）に挟持平面ＳＰ（挟持面）、及びトラフ固定板９１の固定水平板９４（固定水平板９４の外側）に挟持平面ＳＰと直交（交差）する押え平面ＯＰ（押え面）を有する。
【００５６】
各トラフ固定体８３〜８６（トラフ固定本体８７）は、図１４乃至図１６に示すように、トラフ固定板９０の固定垂直板９３をトラフ固定板９１の固定水平板９４から突出した突起片９６（突起）を有する。突起片９６は、トラフ固定板９１の固定水平板９４（押え平面ＯＰ）に間隔δ（突出間隔）を隔てて、固定水平板９４から突出する。
【００５７】
ボルト通し穴９７は、図１１及び図１２に示すように、各トラフ固定板９０，９１の固定水平板９２，９４の中心に配置される。ボルト通し穴９７は、各固定水平板９２，９４と直交方向において、各固定水平板９２，９４を貫通して、各トラフ固定体８３〜８６（トラフ固定本体８７）に形成される。
【００５８】
各トラフ固定体８３，８４は、図１乃至図３、図７、図１２及び図１５に示すように、前後方向ＦＲに間隔を隔ててトラフ載置板６３上（トラフ支持体７）に配置される。各トラフ固定体８３，８４は、ボルト通し穴９７をトラフ載置板６３の各ガイド穴７５，７６に位置して、トラフ載置板６３上に配置される。
各トラフ固定体８３，８４は、図１２及び図１４（ａ）に示すように、挟持平面ＳＰ（固定垂直板９５）を右側の垂直枠材１７に向け、及び押え平面ＯＰ（固定水平板９４）をトラフ載置板６３に向けて、トラフ載置板６３上に配置される。
これにより、各トラフ固定体８３，８４は、突起片９６をトラフ載置板６３に当接した状態において、トラフ載置板６３及び押え平面ＯＰ（固定水平板９４）の間にトラフ隙間δ（間隔δ）を有して、トラフ載置板６３上に配置される。
【００５９】
各トラフ固定体８５，８６は、図１１及び図１４（ｂ）に示すように、前後方向ＦＲに間隔を隔てて、トラフ載置板６４上（トラフ支持体７）に配置される。各トラフ固定体８５，８６は、ボルト通し穴９７をトラフ載置板６４の各ガイド穴７７，７８に位置して、トラフ載置板６４上に配置される。
各トラフ固定体８５，８６は、図１１及び図１４（ｂ）に示すように、挟持平面ＳＰ（固定垂直板９５）を左側の垂直枠材１６に向け、及び押え平面ＯＰ（固定水平板９４）をトラフ載置板６４に向けて、トラフ載置板６４上に配置される。
これにより、各トラフ固定体８５，８６は、突起片９６をトラフ載置板６４に当接した状態において、トラフ載置板６４及び押え平面ＯＰ（固定水平板９４）の間にトラフ隙間δ（間隔δ）を有して、トラフ載置板６４上に配置される。
各トラフ固定体８３，８５は、図１、図７及び図１０に示すように、左右方向ＬＲに間隔を隔てて並設されて、挟持平面ＳＰを対向（対峙）して配置される。
各トラフ固定体８４，８６は、図２及び図７に示すように、左右方向ＬＲに間隔を隔てて並設されて、挟持平面ＳＰを対向（対峙）して配置される。
【００６０】
トラフ固定ボルト８８は、図１１、図１２、及び図１４乃至図１６に示すように、金属（鉄、ステンレス等）で形成されて、ネジ軸９８及び頭部９９を有する。
各トラフ固定ボルト８８は、図１１及び図１２に示すように、ネジ軸９８を各トラフ固定体８３〜８６のボルト通し穴９７、及び各ガイド穴７５〜７８の順に挿通（貫通）して、各トラフ載置板６３，６４から水平枠材１５側（水平板１５Ａ側）に突出して配置される。
各トラフ固定ボルト８８は、頭部９９をトラフ固定板９０の固定水平板９２に当接して配置される。
【００６１】
トラフ固定ナット８９は、図１１及び図１２に示すように、金属（鉄、ステンレス等）で形成されて、各トラフ載置板６３，６４、及び水平枠材１５の間に配置される。
各トラフ固定ナット８９は、各トラフ載置板６３，６４から突出した各トラフ固定ボルト８８のネジ軸９８に螺着して、各トラフ載置板６３，６４（板裏平面）に当接自在に配置される。
【００６２】
位置調整具１０は、枠体１（水平枠材１５）に配置されて、上下方向ＵＤにおいて、枠体１の位置（枠体１の高さ位置）を調整する。
位置調整具１０は、図１乃至図５、図７、図９及び図１１に示すように、ネジ脚１０１、上側の固定ナット１０２（上固定ナット）、下側の固定ナット１０３（下固定ナット）、及び回止めナット１０４を備える。
【００６３】
ネジ脚１０１は、図１乃至図５、図７、図９及び図１１に示すように、例えば、金属（鉄、ステンレス等）で形成されて、調整ネジ軸１０５、及び座板１０６を有する。座板１０６は、板表平面Ｆａ及び板裏平面Ｆｂを調整ネジ軸１０５の軸中心線ｋに直交して、調整ネジ軸１０５の一方の軸端Ｊａ（一方のネジ軸端）に固定される。
【００６４】
ネジ脚１０１は、図１、図２、図５及び図７に示すように、右側の垂直枠材１７側（他方の垂直枠材側）の水平枠材１５（水平板１５Ａ）に配置される。
【００６５】
ネジ脚１０１において、調整ネジ軸１０５は、図１乃至図５、図７、図９及び図１１に示すように、軸中心線ｋ（ネジ軸中心線）を水平枠材１５（水平板１５Ａ）と直交方向ＵＤ（上下方向ＵＤ）に向けて配置される。調整ネジ軸１０５は、図２、図９及び図１１に示すように、上下方向ＵＤに移動自在に、脚ガイド穴２０（水平板１５Ａ）を貫通して、及び他方の軸端Ｊｂ（他方のネジ軸端）を水平枠材１５及び回動支持軸体２の間に突出して配置される。
これにより、ネジ脚１０１は、水平枠材１５及び回動支持軸体２の間に調整ネジ軸１０５の他方の軸端Ｊｂが配置され、枠体１の外側（水平枠材１５の下方）に調整ネジ軸１０５の他方の軸端Ｊａ及び座板１０６が配置される。
【００６６】
上側の固定ナット１０２（上側の固定部材）は、図１、図２、図７、図９及び図１１に示すように、金属（鉄、ステンレス等）で形成されて、調整ネジ軸１０５の他方の軸端Ｊｂ及び水平枠材１５（水平板１５Ａ）の間の調整ネジ軸１０５に螺着されて配置される。
上側の固定ナット１０２は、図１、図２、図７及び図１１に示すように、水平枠材１５（水平板１５Ａ）に当接自在に配置される。
【００６７】
下側の固定ナット１０３（下側の固定部材）は、図１乃至図４、図９及び図１１に示すように、金属（鉄、ステンレス等）で形成されて、座板１０６及び水平枠材１５（水平板１５Ａ）の間の調整ネジ軸１０５に螺着して配置される。下側の固定ナット１０３は、水平枠材１５（水平板１５Ａ）に当接自在に配置される。
【００６８】
回止めナット１０４は、図１乃至図４、図７、図９及び図１１に示すように、金属（鉄、ステンレス等）で形成されて、座板１０６及び下側の固定ナット１０３の間の調整ネジ軸１０５に螺着して配置される。回止めナット１０４は、下側の固定ナット１０３に当接自在にされる。
【００６９】
図１８乃至図２６において、トラフ支持器具Ｘは、支持杭Ｚと共に、ケーブルトラフＹを敷設するのに使用される。
ケーブルトラフＹの敷設する箇所ＳＯ（場所）は、図１８、図２０、図２３及び図２６に示すように、例えば、鉄道路線ＲＷの側方である。
【００７０】
ケーブルトラフＹ（トラフ）は、図２３乃至図２６に示すように、例えば、トラフ長さ：ＬＴの長尺の箱体に形成されて、トラフ本体１１１、トラフ蓋板１１２、左側の固定突起１１３（左固定突起）、及び右側の固定突起１１４（右固定突起）を備える。トラフ本体１１１は、四角形の箱体に形成され、底側の水平壁板１１６（底水平壁板）、左側の垂直壁板１１７（左垂直壁板）、及び右側の垂直壁板１１８（右垂直壁板）を有する。各垂直壁板１１７，１１８は、水平壁板１１６の各壁幅端に配置されて、水平壁板１１６に直交して一体に形成される。トラフ本体１１１は、水平壁板１１６と直交方向において、各垂直壁板１１７，１１８の壁端に開口１１９を有する。
トラフ蓋板１１２は、開口１１９を閉塞して、トラフ本体１１１（各垂直壁板１１７，１１８）に取付けられる。ケーブルトラフＹは、例えば、樹脂で形成される。
【００７１】
各固定突起１１３，１１４は、図２３乃至図２６に示すように、トラフ本体１１１と一体に形成される。固定突起１１３は、水平壁板１１６に連続して形成され、左側の垂直壁板１１７から突出される。固定突起１１４は、水平壁板１１６に連続して形成され、右側の垂直壁板１１８から突出される。
各固定突起１１３，１１４は、図２５及び図２６に示すように、各垂直壁板１１７，１１８と直交方向に突出量：βを有し、及び水平壁板１１６と直交方向に突出高さ：γを有して、各垂直壁板１１７，１１８から突出される。各固定突起１１３，１１４の突出高さ：γは、トラフ隙間δより高く（大きく）される（δ＜γ）。
【００７２】
ケーブルトラフＹの敷設箇所ＳＯにおいて、支持杭Ｚは、図１８乃至図２０、図２２、図２３及び図２６に示すように、金属（鉄、ステンレス等）の丸棒パイプであって、杭嵌込み穴４１の直径：Ｄより僅かに小さい小径の円筒体に形成される。支持杭Ｚの下端側Ｚａは、鋭角形に形成される。
支持杭Ｚは、下端側Ｚａからトラフ敷設箇所ＳＯ（鉄道路線ＲＷの側方）に打込まれる。支持杭Ｚは、途中までトラフ敷設箇所ＳＯ（地中）に打込まれる。
これにより、支持杭Ｚは、図１８、図２０、図２３及び図２６に示すように、上下方向ＵＤにおいて、地面から突出して立設される。
【００７３】
支持杭Ｚの打込みに続いて、支持杭Ｚにトラフ支持器具Ｘを設置する。
トラフ支持器具Ｘは、図１８乃至図２０、図２０、図２２、図２３及び図２６に示すように、支持杭Ｚの上端から下側の杭案内筒体５、杭嵌込み筒体３、及び上側の杭案内筒体４の順に、支持杭Ｚを嵌込んで配置される。
これにより、トラフ支持器具Ｘにおいて、杭嵌込み筒体３、及び各杭案内筒体４，５は、トラフ敷設開所ＳＯに打込んだ支持杭Ｚに外嵌されて、支持杭Ｚの杭中心線ｍの方向（上下方向ＵＤ）に移動自在に、支持杭Ｚを杭嵌込み穴４１、及び各案内穴４８，４９に挿通する。
トラフ支持器具Ｘは、図１９及び図２２に示すように、支持杭Ｚを案内穴４９、杭嵌込み穴４１及び案内穴４８の順に挿通（貫通）して配置される。
【００７４】
杭嵌込み筒体３に支持杭Ｚを嵌込むと、トラフ支持器具Ｘは、図２０及び図２１に示すように、位置調整具１０によって枠体１の位置（枠体１の高さ位置）を調整する。
位置調整具１０において、各固定ナット１０２，１０３、及び回止めナット１０４をネジ脚１０１の調整ネジ軸１０５に対して回動（回転）して、枠体１の水平枠材１５（水平板１５Ａ）から離間する。
これにより、ネジ脚１０１は、上下方向ＵＤにおいて、枠体１に対して移動自在にされ、枠体１は、上下方向ＵＤにおいて、ネジ脚１０１に対して移動自在にされる。
【００７５】
枠体１を移動自在にすると、トラフ支持器具Ｘのネジ脚１０１は、図２２に示すように、座板１０６（板裏平面Ｆｂ）をトラフ敷設箇所ＳＯの地面に載置（当接）して、トラフ敷設開所ＳＯに立設される。
【００７６】
ネジ脚１０１をトラフ敷設箇所ＳＯに立設すると、トラフ支持器具Ｘの枠体１を上下方向ＵＤに移動して、枠体１及びトラフ支持体７の高さ位置（上下方向ＵＤの位置）を調整する。
杭嵌込み筒体３、及び各杭案内筒体４，５は、図１９及び図２２に示すように、トラフ支持器具Ｘの移動に伴って、杭嵌込み穴４１、各案内穴４８，４９及び支持杭Ｚによって案内されながら、上下方向ＵＤ（支持杭Ｚの杭中心線ｍの方向）に移動される。
トラフ支持器具Ｘにおいて、枠体１は、図２１に示すように、水平枠材１５（水平板１５Ａ）の脚ガイド穴２０及び調整ネジ軸１０５によって案内されながら、ネジ脚１０１に対して上下方向ＵＤに移動される。
これにより、枠体１及びトラフ支持体７は、上下方向ＵＤ（杭中心線ｍの方向）において、支持杭Ｚに対して任意の位置に高さ調整される。
【００７７】
枠体１（トラフ支持体７）の高さ調整すると、各固定ナット１０２，１０３を回動（回転）して、水平枠材１５（水平板１５Ａ）に当接する。
各固定ナット１０２，１０３は、図２１に示すように、上下方向ＵＤ（調整ネジ軸１０５の軸中心線ｋの方向）から水平枠材１５の水平板１５Ａを挟持して、ネジ脚１０１を枠体１（水平枠材１５）に固定する。
回止めナット１０４を回動（回転）して、下側の固定ナット１０３に押付ける。これにより、回止めナット１０４は、下側の固定ナット１０３の回動（回転）を止める。
【００７８】
ネジ脚１０１を枠材１に固定すると、トラフ支持器具Ｘの各ボルト５１，５２（筒体固定具６）を回動（回転）して、杭嵌込み筒体３（枠体１）を支持杭Ｚに固定する。
杭嵌込み筒体３は、図１９及び図２２に示すように、各ボルト５１，５２の回動によって、杭嵌込み穴４１の直径：Ｄを狭めつつ、支持杭Ｚに当接、及び押付けられて、支持杭Ｚに固定される。
これにより、トラフ支持器具Ｘは、トラフ敷設箇所ＳＯに打込んだ支持枠Ｚに固定され、及びトラフ敷設箇所ＳＯの地面に立設されたネジ脚１０１に固定されて、トラフ敷設箇所ＳＯ（地面）及び支持杭Ｚに設置される。
【００７９】
トラフ支持器具Ｘを支持杭Ｚに設置すると、トラフ支持器具Ｘは、図１８乃至図２０、及び図２６に示すように、トラフ支持体７の傾斜位置（傾斜角度）を鉄道路線ＲＷの傾斜に調整する。
トラフ支持器具Ｘにおいて、トラフ支持体７は、図１９に示すように、回動支持軸体２の軸中心線ａを中心として回動して傾斜される。
これにより、トラフ支持体７は、回動支持軸体２及び回動筒体６５によって案内されながら、回動支持軸体２の円周方向の任意の位置に調整される。
トラフ支持器具Ｘにおいて、トラフ支持体７は、図２０及び図２４に示すように、傾斜角度の調整と共に、左右方向ＬＲ（回動支持軸体２の軸中心線ａの方向）の位置を調整する。
トラフ支持体７は、左右方向ＬＲの各垂直枠材１６，１７の間において、回動支持軸体２に沿って移動される。
これにより、トラフ支持体７は、回動支持軸体２及び回動筒体６５によって案内されながら、左右方向ＬＲ（回動支持軸体２の軸中心線ａの方向）の任意の位置に調整される。
【００８０】
トラフ支持体７の調整をすると、トラフ支持器具Ｘは、図１７、図１９及び図２４に示すように、各ボルト７９，８０（トラフ固定具９）を回動して、トラフ支持体７を回動支持軸体２に固定する。
回動筒体６５は、図１７に示すように、各ボルト７９，８０の回動によって、軸体嵌込み穴６７の直径を狭めつつ、回動支持軸体２に当接、及び押付けられて、回動支持軸体２に固定される。
【００８１】
トラフ支持体７を回動支持軸体２に固定すると、ケーブルトラフＹをトラフ支持体７に載置して、トラフ固定具９によってトラフ支持体７に固定する。
ケーブルトラフＹは、図２３乃至図２６に示すように、水平壁板１１６からトラフ支持体７上（各トラフ載置板６３，６４上）に載置される。ケーブルトラフＹは、図２６に示すように、トラフ長さ：ＬＴの中央部を各トラフ載置板６３，６４上に載置して配置される。
ケーブルトラフＹは、各トラフ固定体８３〜８６のトラフ隙間δに、各固定突起１１３，１１４を挿入して、各トラフ載置板６３，６４上に載置される。
ケーブルトラフＹの各固定突起１１３，１１４は、図２５に示すように、各トラフ固定体８３〜８６の押え平面ＯＰ（固定水平板９４）及び各トラフ載置板６３，６４の間（トラフ隙間δ）に配置されて、押え平面ＯＰ及び各トラフ載置板６３，６４に当接される。
ケーブルトラフＹは、図２５に示すように、各トラフ固定体８３〜８６の挟持平面ＳＰ（固定垂直板９５）に各垂直壁板１１７，１１８を当接して、各トラフ載置板６３，６４上に載置される。
これにより、各トラフ固定体８３〜８６は、押え平面ＯＰを各固定突起１１３，１１４に当接して、各トラフ載置板６３，６４の間に各固定突起１１３，１１４を配置する。
各トラフ固定体８３，８５は、図２３乃至図２６に示すように、左右方向ＬＲにおいて、各挟持平面ＳＰを各垂直壁板１１７，１１８に当接して、各挟持平面ＳＰの間にトラフ本体１１１を配置する。
各トラフ固定体８４，８６は、図２３乃至図２６に示すように、左右方向ＬＲにおいて、各挟持平面ＳＰを各垂直壁板１１７，１１８に当接して、各挟持平面ＳＰの間にトラフ本体１１１を配置する。
このように、各トラフ固定体８３〜８６は、左右方向ＬＲにおいて、各挟持平面ＳＰによってトラフ本体１１１を挟持し、及び上下方向ＵＤにおいて、押え平面ＯＰ及び各トラフ載置板６３，６４によって各固定突起１１３，１１４を挟持する。
【００８２】
ケーブルトラフＹをトラフ支持体７に載置すると、トラフ固定ナット８９を各トラフ載置板６３，６４に当接した状態において、各トラフ固定体８３〜８６のトラフ固定ボルト８８をトラフ固定ナット８９に対して回動（回転）して、頭部９９を各トラフ固定体８３〜８６の固定水平板９２に当接する。
各トラフ固定体８３〜８６のトラフ固定本体８７は、図２５及び図２６に示すように、上下方向ＵＤにおいて、各トラフ載置板６３，６４に向けて移動される。各トラフ固定体８３〜８６は、挟持平面ＳＰをトラフ本体１１１に当接した状態で、各押え平面ＯＰを各固定突起１１３，１１４に押付けて配置される。
これにより、ケーブルトラフＹは、図２５及び図２６に示すように、各トラフ固定体８３〜８６の挟持平面ＳＰによって挟持され、各トラフ固定体８３〜８６の押え平面ＯＰ及び各トラフ載置板６３，６４によって各固定突起１１３，１１４が挟持されて、トラフ支持体７（各トラフ載置板６３，６４）に固定される。
ケーブルトラフＹは、図２６に示すように、鉄道路線ＲＷの側方（トラフ敷設箇所ＳＯ）の傾斜角度と同一角度に傾斜されて、トラフ支持器具Ｘに固定される。
【００８３】
このように、鉄道路線ＲＷの側方（トラフ敷設箇所ＳＯ）に沿って複数の支持杭Ｚを打込んで、及び各支持杭Ｚにトラフ支持器具Ｘを設置する。複数の支持杭Ｚに設置した各トラフ支持器具ＸにケーブルトラフＹを連続して載置して固定することで、複数のトラフケーブルＹは、鉄道線路ＲＷの側方（トラフ敷設箇所ＳＯ）に沿って連続して敷設される。
トラフ支持体７の傾斜位置を調整することで、傾斜する鉄道路線ＲＷの側方（トラフ敷設箇所ＳＯ）の傾斜に沿って、ケーブルトラフＹを敷設できる。
鉄道線路ＲＷに沿って連続して敷設した複数のケーブルトラフＹは、トラフ蓋体１１２をトラフ本体１１１から取外して、トラフ本体１１１内に電線、光ファイバーのケーブルＫＢを収納する。
【００８４】
本考案では、ケーブルトラフＹは、図１乃至１７で説明した構成に限定されない。
本考案では、ケーブルトラフＹを敷設する箇所（場所）は、鉄道線路ＲＷの側方に限定されない。
【産業上の利用可能性】
【００８５】
本考案は、ケーブルトラフを敷設するのに最適である。
【符号の説明】
【００８６】
Ｘ  トラフ支持器具
１  枠体
２  回動支持軸体
３  杭嵌込み筒体
６  筒体固定具
７  トラフ支持体
８  支持体固定具
９  トラフ固定具
１５  水平枠材
１６  垂直枠材（左側）
１７  垂直枠材（右側）
４１  杭嵌込み穴
１０１  ネジ脚
１０２  固定ナット（上側）
１０３  固定ナット（下側）
１０５  調整ネジ軸
１０６  座板
【図１】
0003230061.tif 000003
【図２】
0003230061.tif 000004
【図３】
0003230061.tif 000005
【図４】
0003230061.tif 000006
【図５】
0003230061.tif 000007
【図６】
0003230061.tif 000008
【図７】
0003230061.tif 000009
【図８】
0003230061.tif 000010
【図９】
0003230061.tif 000011
【図１０】
0003230061.tif 000012
【図１１】
0003230061.tif 000013
【図１２】
0003230061.tif 000014
【図１３】
0003230061.tif 000015
【図１４】
0003230061.tif 000016
【図１５】
0003230061.tif 000017
【図１６】
0003230061.tif 000018
【図１７】
0003230061.tif 000019
【図１８】
0003230061.tif 000020
【図１９】
0003230061.tif 000021
【図２０】
0003230061.tif 000022
【図２１】
0003230061.tif 000023
【図２２】
0003230061.tif 000024
【図２３】
0003230061.tif 000025
【図２４】
0003230061.tif 000026
【図２５】
0003230061.tif 000027
【図２６】
0003230061.tif 000028